(57)【特許請求の範囲】
【請求項１】
帯電微粒子水を生成し得る帯電微粒子水生成手段を具備するとともに、当該帯電微粒子水を霧化して空気中に放出することにより空気を清浄化させる空気清浄装置において、
遊技機が複数設置された島設備に配設されるとともに、左右方向にそれぞれ配設された一対の前記帯電微粒子水生成手段を収容する本体ケースと、
該本体ケースに形成されるとともに、外部の空気を当該本体ケース内に吸入し得る吸入口と、
前記本体ケース内に配設されるとともに、前記帯電微粒子水生成手段で生成された帯電微粒子水を前記吸入口で吸入した空気と共に送風し得る送風手段と、
前記本体ケースの前面を覆って取り付けられ、前記送風手段からの空気及び帯電微粒子水を外部に噴出させ得るフロントパネルと、
前記送風手段から送られる空気を、前記一対の帯電微粒子水生成手段間に位置する中間領域を流れる空気と、一方の前記帯電微粒子水生成手段側の第１領域を流れる空気と、他方の前記帯電微粒子水生成手段側の第２領域を流れる空気とに分ける仕切り部材と、
を具備し、前記中間領域、第１領域及び第２領域が前記本体ケースの幅方向に亘って形成されるとともに、前記中間領域からの空気が隣接する遊技機の間を流れてエアカーテンを形成し得ることを特徴とする空気清浄装置。
【請求項２】
前記仕切り部材は、前記中間領域、前記第１領域及び第２領域をそれぞれ画成して噴出される空気をそれぞれの領域に分ける仕切り壁部を具備したことを特徴とする請求項１記載の空気清浄装置。
【請求項３】
前記本体ケースは、高さ寸法よりも幅寸法の方が大きい収容部材から成るとともに、前記帯電微粒子水生成手段は、当該本体ケースの幅方向両端部にそれぞれ配設されたことを特徴とする請求項１又は請求項２記載の空気清浄装置。
【請求項４】
前記送風手段は、外周面に複数の羽根が形成された円筒状部材から成り、その中心軸回りに回転することにより送風可能とされるとともに、前記本体ケースに対して幅方向に延び、前記中間領域、第１領域及び第２領域に亘って延設されたことを特徴とする請求項１〜３の何れか１つに記載の空気清浄装置。
【請求項５】
前記本体ケースは、パチンコ遊技機が並設される島設備の上部に固定され、当該島設備の上部から帯電微粒子水を噴出可能とされるとともに、前記中間領域を流れる空気が隣接するパチンコ遊技機の間を流れるよう構成されたことを特徴とする請求項１〜４の何れか１つに記載の空気清浄装置。
【発明の詳細な説明】
【技術分野】
【０００１】
本発明は、帯電微粒子水を生成し得る帯電微粒子水生成手段を具備するとともに、当該帯電微粒子水を霧化して空気中に放出することにより空気を清浄化させる空気清浄装置に関するものである。
【背景技術】
【０００２】
パチンコ遊技機の島設備は、パチンコ店内ホールに設置され、複数のパチンコ遊技機が横並びに配設されるとともに、それらパチンコ遊技機に対して遊技球を補給するための補給レーン及び当該パチンコ遊技機から遊技球を回収するための回収レーン等が配設されている。近時においては、パチンコ店内の空気の清浄化を図ることにより競合する他店との差別化を図ることが行われているのが実情である。パチンコ店内の空気の清浄化を図る従来技術として、例えば、隣接するパチンコ遊技機の間に設置した台間機に空気清浄機能を持たせるものが挙げられる。尚、かかる先行技術は、文献公知発明に係るものでないため、記載すべき先行技術文献情報はない。
【発明の概要】
【発明が解決しようとする課題】
【０００３】
しかしながら、上記従来技術の如き台間機に空気清浄機能を持たせたものの場合、設置に大がかりな作業が必要となってしまうとともに、設置後において他の任意位置に移動させるのが困難であるという問題があった。また、台間機に代えて、床に設置する汎用の空気清浄装置をパチンコ店のホール床に設置することも考えられるが、その場合、設置スペースを確保するのが困難であるとともに、設置スペースが限られてしまうことから空気浄化機能を十分に発揮させることができないという問題がある。
【０００４】
しかるに、上記の如き問題は、パチンコ店内の空気清浄装置に限らず、例えばスーパーマーケットやコンビニエンスストア、レストラン等、床面に設置スペースが限られる場所、或いは介護施設や児童施設等、床面に設置するのが困難な場所においても同様に生じてしまう。そこで、本出願人は、台間機に空気清浄機能を持たせたもの或いは床に設置する汎用の空気清浄装置に代えて、上記問題を解消し得る空気清浄装置を鋭意検討するに至り、所望の棚や台或いは家具等の上部に簡易に設置し得るとともに左右方向に幅広く帯電微粒子水を噴出させることができる空気清浄装置を検討するに至った。
【０００５】
本発明は、このような事情に鑑みてなされたもので、所望の棚や台或いは家具等の上部に簡易に設置することができるとともに、左右方向に幅広く空気と共に帯電微粒子水を噴出させることにより空気清浄機能を十分に発揮させることができる空気清浄装置を提供することにある。
【課題を解決するための手段】
【０００６】
請求項１記載の発明は、帯電微粒子水を生成し得る帯電微粒子水生成手段を具備するとともに、当該帯電微粒子水を霧化して空気中に放出することにより空気を清浄化させる空気清浄装置において、遊技機が複数設置された島設備に配設されるとともに、左右方向にそれぞれ配設された一対の前記帯電微粒子水生成手段を収容する本体ケースと、該本体ケースに形成されるとともに、外部の空気を当該本体ケース内に吸入し得る吸入口と、前記本体ケース内に配設されるとともに、前記帯電微粒子水生成手段で生成された帯電微粒子水を前記吸入口で吸入した空気と共に送風し得る送風手段と、前記本体ケースの前面を覆って取り付けられ、前記送風手段からの空気及び帯電微粒子水を外部に噴出させ得るフロントパネルと、前記送風手段から送られる空気を、前記一対の帯電微粒子水生成手段間に位置する中間領域を流れる空気と、一方の前記帯電微粒子水生成手段側の第１領域を流れる空気と、他方の前記帯電微粒子水生成手段側の第２領域を流れる空気とに分ける仕切り部材とを具備し、前記中間領域、第１領域及び第２領域が前記本体ケースの幅方向に亘って形成されるとともに、前記中間領域からの空気が隣接する遊技機の間を流れてエアカーテンを形成し得ることを特徴とする。
【０００７】
請求項２記載の発明は、請求項１記載の空気清浄装置において、前記仕切り部材は、前記中間領域、前記第１領域及び第２領域をそれぞれ画成して噴出される空気をそれぞれの領域に分ける仕切り壁部を具備したことを特徴とする。
【０００８】
請求項３記載の発明は、請求項１又は請求項２記載の空気清浄装置において、前記本体ケースは、高さ寸法よりも幅寸法の方が大きい収容部材から成るとともに、前記帯電微粒子水生成手段は、当該本体ケースの幅方向両端部にそれぞれ配設されたことを特徴とする。
【０００９】
請求項４記載の発明は、請求項１〜３の何れか１つに記載の空気清浄装置において、前記送風手段は、外周面に複数の羽根が形成された円筒状部材から成り、その中心軸回りに回転することにより送風可能とされるとともに、前記本体ケースに対して幅方向に延び、前記中間領域、第１領域及び第２領域に亘って延設されたことを特徴とする。
【００１０】
請求項５記載の発明は、請求項１〜４の何れか１つに記載の空気清浄装置において、前記本体ケースは、パチンコ遊技機が並設される島設備の上部に固定され、当該島設備の上部から帯電微粒子水を噴出可能とされるとともに、前記中間領域を流れる空気が隣接するパチンコ遊技機の間を流れるよう構成されたことを特徴とする。
【発明の効果】
【００１１】
請求項１の発明によれば、送風手段から送られる空気を、一対の帯電微粒子水生成手段間に位置する中間領域を流れる空気と、一方の帯電微粒子水生成手段側の第１領域を流れる空気と、他方の帯電微粒子水生成手段側の第２領域を流れる空気とに分ける仕切り部材を具備し、中間領域、第１領域及び第２領域が本体ケースの幅方向に亘って形成されたので、遊技機が複数設置された島設備に簡易に設置することができるとともに、左右方向に幅広く空気と共に帯電微粒子水を噴出させることにより空気清浄機能を十分に発揮させることができる。
【００１２】
請求項２の発明によれば、仕切り部材は、中間領域、前記第１領域及び第２領域をそれぞれ画成して噴出される空気をそれぞれの領域に分ける仕切り壁部を具備したので、簡易な構成にて左右方向に幅広く空気と共に帯電微粒子水を噴出させることにより空気清浄機能を十分に発揮させることができる。
【００１３】
請求項３の発明によれば、本体ケースは、高さ寸法よりも幅寸法の方が大きい収容部材から成るとともに、帯電微粒子水生成手段は、当該本体ケースの幅方向両端部にそれぞれ配設されたので、送風手段からの空気を本体ケースの幅寸法に応じて幅広く噴出させることができ、中間領域、前記第１領域及び第２領域の幅方向の寸法をより広く設定することができる。
【００１４】
請求項４の発明によれば、送風手段は、外周面に複数の羽根が形成された円筒状部材から成り、その中心軸回りに回転することにより送風可能とされるとともに、本体ケースに対して幅方向に延び、中間領域、第１領域及び第２領域に亘って延設されたので、単一の送風手段にて確実に中間領域、第１領域及び第２領域を流れる空気を噴出させることができる。
【００１５】
請求項５の発明によれば、本体ケースは、パチンコ遊技機が並設される島設備の上部に固定され、当該島設備の上部から帯電微粒子水を噴出可能とされるとともに、中間領域を流れる空気が隣接するパチンコ遊技機の間を流れるよう構成されたので、中間領域を流れる空気が隣接するパチンコ遊技機の間のエアカーテンとなり、帯電微粒子水を含む空気が第１領域及び第２領域を流れて各パチンコ遊技機の遊技者に至ることとなる。したがって、空気と共に帯電微粒子水を必要な位置に向かって噴出させることができ、空気清浄機能を十分且つ効率的に発揮させることができる。
【図面の簡単な説明】
【００１６】
【図１】本発明の実施形態に係る空気清浄装置を示す正面図
【図２】同空気清浄装置を示す側面図
【図３】同空気清浄装置を示す平面図
【図４】同空気清浄装置の内部構成を示す平面図
【図５】同空気清浄装置の内部構成を示す正面図
【図６】図５におけるＶＩ−ＶＩ線断面図
【図７】同空気清浄装置における仕切り部材を示す平面図及び正面図
【図８】同空気清浄装置におけるフロントパネルを示す平面図及び正面図
【図９】図８におけるＩＸ−ＩＸ線断面図
【図１０】同空気清浄装置におけるフロントパネルであって（ａ）本体ケースから取り外す前の状態を示す断面図（ｂ）本体ケースから取り外した状態を示す断面図（ｃ）上下反対としつつ左右を入れ替えて本体ケースに取り付けた状態を示す断面図
【図１１】同空気清浄装置における固定ブラケットを示す平面図、側面図及び正面図
【図１２】同空気清浄装置における本体ケースの取り付け位置を前後方向に移動させた状態を示す側面図
【図１３】同空気清浄装置をパチンコ遊技機の島設備の上部に設置して正面側から見た状態を示す模式図
【図１４】同空気清浄装置をパチンコ遊技機の島設備の上部に設置して側面側から視た状態を示す模式図
【発明を実施するための形態】
【００１７】
以下、本発明の実施形態について図面を参照しながら具体的に説明する。
本実施形態に係る空気清浄装置は、帯電微粒子水を生成し得る帯電微粒子水生成手段（生成デバイス）を具備するとともに、当該帯電微粒子水を霧化して空気中に放出することにより空気を清浄化させるもので、図１〜６に示すように、本体ケース２と、フロントパネル３と、固定ブラケット４と、帯電微粒子水生成手段（５ａ、５ｂ）と、送風手段６と、仕切り部材７とから主に構成されている。
【００１８】
本体ケース２は、高さ寸法よりも幅寸法の方が大きい（すなわち、横方向に長い）略箱型形状の収容部材から成り、帯電微粒子水生成手段（５ａ、５ｂ）等の本空気清浄装置１の種々部品を収容するものである。この本体ケース２の上面には、外部の空気を当該本体ケース２内に吸入し得る吸入口２ａが形成されるとともに、当該吸入口２ａを覆うフィルタｆが取り付けられている。フィルタｆは、吸入口２ａから吸入される空気を濾過して空気中の塵等を捕捉し得るものである。なお、図中符号Ｃは、本体ケース２から延設されて電源と接続可能な配線を示している。
【００１９】
また、本体ケース２内には、図４〜６に示すように、帯電微粒子水生成手段（５ａ、５ｂ）及び送風手段６が配設されている。この帯電微粒子水生成手段（５ａ、５ｂ）は、例えばペルチェ素子に電圧を印加して放電電極を冷却することにより空気中の水分を電極に結露させるとともに、当該放電電極に対して電圧を印加させることにより、放電電極先端部で静電霧化現象及びコロナ放電を生じさせ、負極に帯電した帯電微粒子水を生じさせるよう構成されている。
【００２０】
このような帯電微粒子水は、室内の空気臭や付着臭を消臭し、或いは花粉抗原を失活させる性質を有することから、空気の清浄化を図ることができる。なお、本実施形態においては、帯電微粒子水生成手段（５ａ、５ｂ）の前面側に開口（５ａａ、５ｂａ）（図５参照）がそれぞれ形成されており、生成した帯電微粒子水が当該開口５ａａ、５ｂａから放出し得るようになっている。
【００２１】
送風手段６は、帯電微粒子水生成手段（５ａ、５ｂ）で生成された帯電微粒子水を吸入口２ａで吸入した空気と共に送風し得るもので、本実施形態においては所謂クロスフローファンと称されるファン部材から成り、モータＭの駆動により送風可能とされている。具体的には、本実施形態に適用される送風手段６は、外周面に複数の羽根が形成された円筒状部材から成り、その中心軸回りに回転することにより、送風可能とされている。
【００２２】
かかる送風手段６は、本体ケース２に対して左右方向（幅方向）に延設する如く配設されるとともに、その両端側にそれぞれ帯電微粒子水生成手段（５ａ、５ｂ）が一対配設されている。すなわち、一対の帯電微粒子水生成手段（５ａ、５ｂ）は、本体ケース２内における幅方向両端部にそれぞれ配設されるとともに、それぞれの帯電微粒子水生成手段（５ａ、５ｂ）で生成された帯電微粒子水は、送風手段６により送られる空気と共に外部に放出されるよう構成されているのである。したがって、それぞれの帯電微粒子水生成手段（５ａ、５ｂ）に対応して送風手段を別個それぞれ配設したものに比べ、製造コストの低減及び小型化を図ることができる。
【００２３】
フロントパネル３は、本体ケース２の前面を覆って取り付けられる樹脂製部材から成るとともに、図８に示すように、送風手段６にて送られた空気及び帯電微粒子水を外部に噴出させる左右一対の噴出口３ｂと、これら一対の噴出口３ｂの間に形成されたルーバー３ａとが形成されている。このうち、噴出口３ｂは、フロントパネル３の幅方向両端部であって一対の帯電微粒子水生成手段（５ａ、５ｂ）の配設位置に対応して（すなわち、開口（５ａａ、５ｂａ）の前方位置に）一対形成されている。
【００２４】
ルーバー３ａは、図９に示すように、上下方向に所定寸法離間して左右方向に延びる複数（本実施形態においては２枚）のリブ状部材から成り、そのリブ状部材の前後方向の傾斜角度を任意に設定することにより、送風手段６からの空気を上下方向に対して所定角度で噴出させることが可能とされている。本実施形態に係るルーバー３ａは、一対の噴出口３ｂの間において本体ケース２の長手方向（幅方向）に亘って形成されている。しかして、噴出口３ｂから噴出された帯電微粒子水は、ルーバー３ａから噴出された空気に乗って外部に拡散されることとなる。すなわち、ルーバー３ａの傾斜角度に応じて当該ルーバー３ａから噴出される空気と共に噴出口３ｂから噴出された帯電微粒子水も噴出されるのである。
【００２５】
さらに、フロントパネル３は、図９に示すように、複数の所定部位に係止用の爪部３ｃが一体形成されており、かかる爪部３ｃを本体ケース２の前面側縁部に形成された係止孔２ｂ（図４参照）に係止させることにより、当該本体ケース２の前面側を覆った状態で取り付け可能とされている。すなわち、本実施形態に係るフロントパネル３は、爪部３ｃの係止孔２ｂに対する係止及び係止の解除を行うことにより、本体ケース２に対して脱着可能とされるのである。
【００２６】
また、本実施形態に係るフロントパネル３は、前面の形状及び爪部３ｃの形成位置等が幅方向略中央を中心に左右対称とされている。さらに、フロントパネル３は、その略中央部で左右２分割とされているとともに、それぞれが上下対称な形状とされており、フロントパネル３のそれぞれを上下反対としつつ左右を入れ替えることにより、所定角度下方を向いたルーバー３ａを所定角度上方を向いたルーバー３ａとすることができる。
【００２７】
すなわち、図１０（ａ）に示すように、所定角度だけ下方を向いたルーバー３ａを有したフロントパネル３を有した空気清浄装置１の場合、爪部３ｃの係止孔２ｂに対する係止を解いてフロントパネル３を本体ケース２から取り外した後（同図（ｂ）参照）、そのフロントパネル３を上下反対としつつ左右を入れ替え、再び係止部３ｃを係止孔２ｂに係止させる（同図（ｃ）参照）ことにより、所定角度だけ上方を向いたルーバー３ａに切り替えることができるのである。このように、本実施形態によれば、空気清浄装置１の設置高さに応じて、ルーバー３ａからの空気の噴出角度（空気及び帯電微粒子水の噴出角度）が任意に変更可能とされているのである。
【００２８】
一方、本体ケース２の内部には、仕切り部材７が取り付けられている。この仕切り部材７は、金属製板材を所望形状にプレス成形して得られたもので、図７に示すように、仕切り壁部（７ａ、７ｂ）と、載置部７ｃと、ボルト孔７ｄとを有している。仕切り壁部（７ａ、７ｂ）は、図４に示すように、本体ケース２内に仕切り部材７が取り付けられた状態において、中間領域αと、一方の帯電微粒子水生成手段５ａ側の第１領域β１と、他方の帯電微粒子水生成手段５ｂ側の第２領域β２とを仕切るべく立設したものである。
【００２９】
すなわち、送風手段６を駆動させて送風すると、仕切り壁部（７ａ、７ｂ）によって、中間領域αを流れる空気と、第１領域β１を流れる空気と、第２領域β２を流れる空気とに分かれ、それぞれがフロントパネル３のルーバー３ａ及び噴出口３ｂから外部に噴出されることとなる。これにより、帯電微粒子生成手段５ａからの帯電微粒子水を含む空気が第１領域β１から噴出し、帯電微粒子生成手段５ｂからの帯電微粒子水を含む空気が第２領域β２から噴出するとともに、中間領域αからは帯電微粒子水を含まない空気を噴出させることができる。
【００３０】
さらに、本実施形態においては、送風手段６が、外周面に複数の羽根が形成された円筒状部材から成り、その中心軸回りに回転することにより送風可能な所謂クロスフローファンから成るとともに、本体ケース２に対して幅方向に延び、中間領域α、第１領域β１及び第２領域β２に亘って延設されている。これにより、単一の送風手段６にて確実に中間領域α、第１領域β１及び第２領域β２を流れる空気を噴出させることができる。
【００３１】
載置部７ｃは、仕切り部材７における仕切り壁部（７ａ、７ｂ）の間に位置する壁部を切り欠いて形成された部位から成り、所定の電気回路が形成され所定の電気部品を搭載した基板８が載置されるよう構成されている。かかる基板８は、空気清浄装置１が具備する種々電装部品（送風手段６のモータＭや電飾のためのＬＥＤ等）を制御するためのコントロール基板から成り、載置部７ｃに固定されることにより、送風手段６の駆動時において、中間領域αを流れる空気にて冷却可能とされている。
【００３２】
ボルト孔７ｄは、本体ケース２を固定ブラケット４に固定させるためのボルトＢを挿通するための挿通孔から成り、仕切り部材７における仕切り壁部（７ａ、７ｂ）の縁部にそれぞれ形成されている。なお、仕切り部材７には、複数の位置決め孔ｂが形成されており、固定ブラケット４の上面４ａに形成された位置決めダボｄ（図１１参照）が何れかの位置決め孔ｂに挿通可能とされている。
【００３３】
固定ブラケット４は、本体ケース２を任意の位置に任意高さで固定可能なものであり、図１１に示すように、金属製板材を所望形状にプレス加工して成る。この固定ブラケット４の上面４ａは、略平坦な面とされ、本体ケース２を載置しつつ固定可能とされているとともに、左右縁部に形成された複数のボルト孔ａと、左右縁部に一対形成された位置決めダボｄとを有している。また、固定ブラケット４には、左右方向に延びるフランジ部４ｂが形成されており、これらフランジ部４ｂにビス等を挿通させる複数の挿通孔が形成されている。
【００３４】
しかして、フランジ部４ｂをビス等にて設置位置（所望の棚や台或いは家具等の上部）に固定させた状態で、仕切り部材７のボルト孔７ｄに挿通されたボルトＢの先端側をボルト孔ａの何れに挿通して固定させるのかを選択することにより、固定ブラケット４に対する本体ケース２の前後方向の取り付け位置が任意変更可能とされている。すなわち、仕切り部材７のボルト孔７ｄを固定ブラケット４の任意のボルト孔ａと合致させつつボルトＢを挿通することにより、図１２に示すように、固定ブラケット４に対して本体ケース２を前後方向に移動して当該本体ケース２の取り付け位置（固定位置）を変更することが可能とされているのである。なお、本体ケース２の取り付け位置に応じて位置決めダボｄが位置決め孔ｂの何れかに挿通し、位置決めが可能とされている。
【００３５】
ここで、本実施形態に係る固定ブラケット４は、図１３、１４に示すように、パチンコ遊技機Ｐが並設される島設備Ｓの上面に固定されることにより、本体ケース２が当該島設備Ｓの上部に固定されており、当該島設備Ｓの上部から帯電微粒子水を噴出可能とされている。島設備Ｓは、パチンコ店のホールにおいて、複数のパチンコ遊技機Ｐが横並びで設置されて成るもので、各パチンコ遊技機Ｐの前面側にそれぞれ遊技者が着座して遊技し得るようになっている。
【００３６】
本空気清浄装置１は、島設備Ｓの上面であって、隣接する２つのパチンコ遊技機Ｐに跨る如く（本体ケース２が隣接するパチンコ遊技機Ｐに亘って幅方向に延設される如く）配設されており、これら隣接する２つのパチンコ遊技機Ｐに着座したそれぞれの遊技者に向かって帯電微粒子水を含む空気（すなわち、第１領域β１及び第２領域β２を流れる空気）が噴出されるよう構成されている。これにより、互いに隣り合う２台のパチンコ遊技機Ｐに対して１台の空気清浄装置１にて共用させることができる。
【００３７】
また、本実施形態に係る空気清浄装置１は、既述したように、送風手段６を駆動させて送風すると、仕切り壁部（７ａ、７ｂ）によって、中間領域αを流れる帯電微粒子水をほとんど含まない空気と、第１領域β１を流れる帯電微粒子水生成手段５ａからの帯電微粒子水を含む空気と、第２領域β２を流れる帯電微粒子水生成手段５ｂからの帯電微粒子水を含む空気とに分かれ、それぞれがフロントパネル３のルーバー３ａ及び噴出口３ｂから外部に噴出されるので、中間領域αを流れる空気が隣接するパチンコ遊技機Ｐの間を流れてエアカーテンを形成するとともに、隣接するパチンコ遊技機Ｐのうち一方のパチンコ遊技機Ｐ側に第１領域β１の帯電微粒子水を噴出させ、他方のパチンコ遊技機Ｐ側に第２領域β２の帯電微粒子水を噴出させることができる。
【００３８】
一方、島設備Ｓは、その上部（パチンコ遊技機Ｐより上方の位置）において開閉可能な幕板Ａが取り付けられており、図１４に示すように、当該幕板Ａを上方に向かって跳ね上げて開放することにより補給レーン等の点検や整備が可能とされている。ここで、本実施形態に係る空気清浄装置１は、固定ブラケット４により本体ケース２が任意高さで固定されているので、幕板Ａを上方に跳ね上げた状態としても、その幕板Ａにて本体ケース２の前面側が塞がれてしまうのを回避でき、帯電微粒子水の噴出を維持することができる。
【００３９】
上記実施形態によれば、送風手段６から送られる空気を、一対の帯電微粒子水生成手段（５ａ、５ｂ）間に位置する中間領域αを流れる空気と、一方の帯電微粒子水生成手段５ａ側の第１領域β１を流れる空気と、他方の帯電微粒子水生成手段５ｂ側の第２領域β２を流れる空気とに分ける仕切り部材７を具備したので、所望の棚や台或いは家具等の上部に簡易に設置することができるとともに、左右方向に幅広く空気と共に帯電微粒子水を噴出させることにより空気清浄機能を十分に発揮させることができる。
【００４０】
また、本実施形態によれば、仕切り部材７は、板材を所望形状にプレス成形して得られるとともに、中間領域α、第１領域β１及び第２領域β２をそれぞれ画成して噴出される空気をそれぞれの領域に分ける仕切り壁部（７ａ、７ｂ）を具備したので、簡易な構成にて左右方向に幅広く空気と共に帯電微粒子水を噴出させることにより空気清浄機能を十分に発揮させることができる。
【００４１】
さらに、本体ケース２は、高さ寸法よりも幅寸法の方が大きい収容部材から成るとともに、帯電微粒子水生成手段（５ａ、５ｂ）は、当該本体ケース２の幅方向両端部にそれぞれ配設されたので、送風手段６からの空気を本体ケース２の幅寸法に応じて幅広く噴出させることができ、中間領域α、第１領域β１及び第２領域β２の幅方向の寸法をより広く設定することができる。
【００４２】
またさらに、本体ケース２は、パチンコ遊技機Ｐが並設される島設備Ｓの上部に固定され、当該島設備Ｓの上部から帯電微粒子水を噴出可能とされるとともに、中間領域αを流れる空気が隣接するパチンコ遊技機Ｐの間を流れるよう構成されたので、中間領域αを流れる空気が隣接するパチンコ遊技機Ｐの間のエアカーテンとなり、帯電微粒子水を含む空気が第１領域β１及び第２領域β２を流れて各パチンコ遊技機Ｐの遊技者に至ることとなる。したがって、空気と共に帯電微粒子水を必要な位置に向かって噴出させることができ、空気清浄機能を十分且つ効率的に発揮させることができる。
【００４３】
加えて、高さ寸法よりも幅寸法の方が大きい収容部材から成り、帯電微粒子水生成手段（５ａ、５ｂ）を収容する本体ケース２と、本体ケース２の前面を覆って取り付けられるとともに、送風手段６からの空気を上下方向に対して所定角度で噴出させるルーバー３ａ、及び送風手段６にて送られた空気及び帯電微粒子水を外部に噴出させる噴出口３ｂがそれぞれ形成されたフロントパネル３とを具備するとともに、フロントパネル３は、本体ケース２に対して脱着可能とされ、ルーバー３ａからの空気の噴出角度が任意に変更可能とされたので、所望の棚や台或いは家具等の上部に簡易に設置することができるとともに、設置高さに応じた角度で空気と共に帯電微粒子水を噴出させることにより空気清浄機能を十分に発揮させることができる。
【００４４】
また、本実施形態によれば、フロントパネル３は、所定部位に係止用の爪部３ｃが形成されるとともに、当該爪部３ｃを本体ケース２に形成された係止孔２ｂに係止させることにより当該本体ケース２に取り付け可能とされたので、本体ケース２に対して簡単に脱着させることができ、より容易且つ円滑に、設置高さに応じた角度で空気と共に帯電微粒子水を噴出させることができる。
【００４５】
さらに、フロントパネル３は、上下反対としつつ左右を入れ替えた状態で本体ケース２に取り付け可能とされることにより、ルーバー３ａの傾斜角度が上向きと下向きとで切り替え可能とされたので、空気と共に帯電微粒子水を噴出させる角度を上向きと下向きとで容易に変更させることができる。またさらに、フロントパネル３は、幅方向に対して略中央の位置で左右に分割されて成り、それぞれが本体ケース２に取付け可能とされたので、本体ケースの幅方向と略同一寸法のフロントパネル３全体を取付け及び取外しするものに比べ、当該フロントパネル３の本体ケース２に対する取付け及び取外し作業をより容易に行わせることができる。
【００４６】
また、送風手段６は、外周面に複数の羽根が形成された円筒状部材から成り、その中心軸回りに回転することにより送風な所謂クロスフローファンから成るものとされるとともに、本体ケース２に対して幅方向に延設して配設されたので、送風手段６からの送風を任意高さから幅広く行わせることができ、空気と共に帯電微粒子水をより広範囲に噴出させることができる。
【００４７】
なお、本実施形態によれば、高さ寸法よりも幅寸法の方が大きい収容部材（左右方向を長手とした部材）から成り、帯電微粒子水生成手段（５ａ、５ｂ）を収容する本体ケース２と、本体ケース２を任意の位置に任意高さで固定可能な固定ブラケット４とを具備したので、所望の棚や台或いは家具等の上部に簡易に設置することができるとともに、空気清浄機能を十分に発揮させることができる。
【００４８】
特に、本実施形態に係る固定ブラケット４は、パチンコ遊技機Ｐが並設される島設備Ｓの上面に固定され、当該島設備Ｓの上部から帯電微粒子水を噴出可能とされたので、台間機に空気清浄機能を持たせたものに比べ、設置コストやメンテナンスコストを低減させることができるとともに、床置きの汎用の空気清浄装置に比べ、空気清浄機能を十分に発揮させることができる。
【００４９】
また、本実施形態に係る帯電微粒子水生成手段（５ａ、５ｂ）は、本体ケース２内における幅方向両端部にそれぞれ配設されるとともに、フロントパネル３の幅方向両端部には、当該一対の帯電微粒子水生成手段（５ａ、５ｂ）の配設位置に対応して噴出口３ｂが一対形成されたので、本体ケース２における水平方向に離間した噴出口３ｂから帯電微粒子水をそれぞれ放出させることができ、広い範囲に亘って空気清浄機能を十分に発揮させることができる。
【００５０】
さらに、フロントパネル３における一対の噴出口３ｂの間には、送風手段６からの空気を上下方向に対して所定角度で噴出させるルーバー３ａが形成されたので、空気清浄装置１の設置場所（設置高さ等）に応じて上下の任意方向に帯電微粒子水を噴出させることができ、空気清浄機能をより向上させることができる。また、固定ブラケット４に対する本体ケース２の前後方向の取り付け位置が任意変更可能とされたので、空気清浄装置１の設置場所に応じて本体ケース２を前後に移動させることができ、空気清浄機能をより向上させることができる。
【００５１】
またさらに、吸入口２ａが本体ケース２の上面に形成されるとともに、当該吸入口２ａを覆うフィルタｆが取り付けられたので、吸入口２ａからの吸入を円滑かつ確実に行わせることができるとともに、フィルタｆの交換を容易に行わせることができる。なお、外部の空気を本体ケース２内に吸入し得る吸入口であれば、当該吸入口を本体ケース３の他の位置（背面又は側面）に形成するようにしてもよい。
【００５２】
以上、本実施形態について説明したが、本発明はこれに限定されるものではなく、例えば中間領域で空気を流すための送風手段、第１領域で空気を流すための送風手段、及び第２領域で空気を流すための送風手段をそれぞれ本体ケース内に具備させるようにしてもよい。また、仕切り部材は、板材を所望形状にプレス成形して得られるものに限定されず、本体ケースの内部を仕切って中間領域、第１領域及び第２領域を画成し得る種々形態のものであってもよい。
【００５３】
さらに、本実施形態においては、本体ケースは、高さ寸法よりも幅寸法の方が大きい収容部材から成り、帯電微粒子水生成手段を収容するものとされているが、寸法や形状は何れのものであってもよい。
【００５４】
さらに、本実施形態においては、送風手段６が所謂クロスフローファンとされているが、これに代えて、シロッコファン等の他の形態のファン部材としてもよい。なお、帯電微粒子水生成手段は、帯電微粒子水を生成し得るものであれば足り、帯電微粒子水を生成する手段及び方法が異なるものを適用してもよい。
【産業上の利用可能性】
【００５５】
送風手段から送られる空気を、一対の帯電微粒子水生成手段間に位置する中間領域を流れる空気と、一方の帯電微粒子水生成手段側の第１領域を流れる空気と、他方の帯電微粒子水生成手段側の第２領域を流れる空気とに分ける仕切り部材を具備し、中間領域、第１領域及び第２領域が本体ケースの幅方向に亘って形成されるとともに、中間領域からの空気が隣接する遊技機の間を流れてエアカーテンを形成し得る空気清浄装置であれば、外観形状が異なるもの或いは他の機能が付加されたもの等にも適用することができる。
【符号の説明】
【００５６】
１  空気清浄装置
２  本体ケース
２ａ  吸入口
３  フロントパネル
３ａ  ルーバー
３ｂ  噴出口
４  固定ブラケット
５ａ、５ｂ  帯電微粒子水生成手段
６  送風手段
７  仕切り部材
Ｓ  島設備
Ｐ  パチンコ遊技機
α  中間領域
β１  第１領域
β２  第２領域
【図１】
0006027740.tif 000002
【図２】
0006027740.tif 000003
【図３】
0006027740.tif 000004
【図４】
0006027740.tif 000005
【図５】
0006027740.tif 000006
【図６】
0006027740.tif 000007
【図７】
0006027740.tif 000008
【図８】
0006027740.tif 000009
【図９】
0006027740.tif 000010
【図１０】
0006027740.tif 000011
【図１１】
0006027740.tif 000012
【図１２】
0006027740.tif 000013
【図１３】
0006027740.tif 000014
【図１４】
0006027740.tif 000015